(57)【特許請求の範囲】
【請求項１】
自閉するように構成された引戸の開閉方向に戸枠に設けられたレールの上面に沿って転動し、前記引戸に対して移動可能に保持されたローラと；
前記ローラの移動方向を規制するガイド孔が設けられ、前記ローラを保持するローラ保持部と；
前記ローラに対して相対的に第１の位置にあるときに、前記引戸の開動作を途中で中断した場合、前記レールの上面との間に前記ローラを弾性的に挟持させて前記引戸の開動作は可能な状態で閉動作をストップさせ、前記開動作を途中で中断した位置から僅かに閉まる方向に移動した位置に前記引戸を維持する制動部材と；
前記制動部材を相対的に前記レールの上面から離反する第２の位置に移動せしめ、前記引戸のストップ状態を解除する制動解除機構とを備えたことを特徴とする；
引戸のフリーストップ装置。
【請求項２】
前記制動解除機構が前記引戸に取り付けられた；
請求項１に記載の引戸のフリーストップ装置。
【請求項３】
自閉するように構成された引戸の開閉方向に戸枠に設けられたレールの上面に沿って転動し、前記引戸に対して移動可能に保持されたローラと；
前記ローラの移動方向を規制するガイド孔が設けられ、前記ローラを保持するローラ保持部を有するハウジングと；
前記ローラに対して相対的に第１の位置にあるときに、前記引戸の開動作を途中で中断した場合、前記レールの上面との間に前記ローラを弾性的に挟持させて前記引戸の開動作は可能な状態で閉動作をストップさせ、前記開動作を途中で中断した位置から僅かに閉まる方向に移動した位置に前記引戸を維持する制動部材と；
前記制動部材を相対的に前記レールの上面から離反する第２の位置に移動せしめ、前記引戸のストップ状態を解除する制動解除機構とを備え；
前記ローラと、前記制動部材と、前記制動解除機構とが、前記ハウジングの内部に備えられていることを特徴とする；
引戸のフリーストップ装置。
【請求項４】
前記制動部材が相対的に前記レールの上面から前記レールの上面に対して垂直に離反して前記第２の位置に移動せしめられるよう構成された；
請求項１乃至請求項３のいずれか１項に記載の引戸のフリーストップ装置。
【請求項５】
前記制動解除機構が、ソレノイドと、前記ソレノイドの変位を前記制動部材に伝達する変位伝達部を有し；
前記変位伝達部が、前記ソレノイドの変位により付勢力を解放し、前記付勢力により前記制動部材の前記移動を生じさせるバネを有する；
請求項１乃至請求項４のいずれか１項に記載の引戸のフリーストップ装置。
【請求項６】
引戸本体と；
前記引戸本体に取り付けられた請求項１乃至請求項５のいずれか１項に記載のフリーストップ装置とを備えた；
引戸。
【発明の詳細な説明】
【０００１】
【発明の属する技術分野】
本発明は、自閉するように構成された引戸本体を、一時的に半開状態にすることができる引戸のフリーストップ装置に関するものである。
【０００２】
【従来の技術】
開閉操作が容易であって、開閉スペースを殆ど必要とせず、しかも例えば足腰等が不自由な身障者や老人などによる車椅子での使用に好適である自閉するよう構成された引戸が建築設備等の各所に設置され、使用されている。
【０００３】
この引戸は自閉するように構成されているので、手動等によって開けた後に手を放せば、そのまま閉まる。自閉する構成としては、例えば引戸の戸車に係合するレールに傾斜を設け、引戸にかかる重力を利用して自閉させるものや、または分銅にかかる重力を利用した比較的簡単な機械的構造を有するものがある。
【０００４】
さらにこの引戸には、フリーストップ装置が取り付けられ、引戸を例えば手で開くときに、開動作の途中で手を放せば、引戸をほぼその手を放した位置に半開状態で維持することができる。さらに引戸を開けたい場合は、引戸を開方向に移動させれば引戸を開けることができる。また、引戸を閉めたい場合は閉方向に所定の力以上で押して引戸を僅かに移動させればよく、これによってフリーストップ装置のストップ状態が解除されるので、後は手を放しても自閉する構成によって引戸は自然に閉まる。
【０００５】
【発明が解決しようとする課題】
以上のような従来の引戸のフリーストップ装置によれば、半開状態の引戸を閉めるためには、引戸に閉方向の力をかけて僅かに動かしてやらなければならず、引戸に直接接触せずに半開状態からストップ状態を解除し、引戸が閉まるようにしたいという要望があった。
【０００６】
そこで本発明は、開状態で停止している引戸を直接接触せずに閉めることのできる引戸のフリーストップ装置、及び該フリーストップ装置を備えた引戸を提供することを目的とする。
【０００７】
【課題を解決するための手段】
上記目的を達成するために、請求項１に係る発明による引戸のフリーストップ装置は、図１、図２に示すように、自閉するように構成された引戸１の開閉方向に戸枠に設けられたレール５の上面５Ａに沿って転動し、引戸１に対して移動可能に保持されたローラ１１と；ローラ１１の移動方向を規制するガイド孔４３が設けられ、ローラ１１を保持するローラ保持部１２Ｃ、１６と；ローラ１１に対して相対的に第１の位置にあるときに、引戸１の開動作を途中で中断した場合、レール５の上面５Ａとの間にローラ１１を弾性的に挟持させて引戸１の開動作は可能な状態で閉動作をストップさせ、前記開動作を途中で中断した位置から僅かに閉まる方向に移動した位置に引戸１を維持する制動部材１７と；制動部材１７を相対的にレール５の上面５Ａから離反する第２の位置に移動せしめ、引戸１のストップ状態を解除する制動解除機構９、１０、４４とを備えたことを特徴とする
【０００８】
このように構成すると、引戸のフリーストップ装置は、制動部材を備え、制動部材が第１の位置にあるとき、レールの上面との間にローラを弾性的に挟持させて引戸の閉動作をストップさせるので、引戸の開動作を途中で中断した場合、自閉する構成により引戸は閉まろうとするが、このストップ作用により引戸を、開動作を途中で中断した位置から僅かに閉まる方向に移動した位置に維持することができる。この状態で引戸は開動作が可能であり、開方向に例えば手で押してやれば開くことができる。
【０００９】
さらに引戸のストップ状態を解除する制動解除機構を備えるので、引戸に手を触れずに、制動解除機構によって制動部材を相対的にレールの上面から離反する第２の位置に移動せしめ、ローラがレールの上面と制動部材との間に挟持されているのを解除し、引戸のストップ状態を解除することができる。
ローラを弾性的に保持するとは、保持されるローラが弾性体からなる場合、または保持部に弾性体を含み、ローラがこの弾性体により変位可能に保持されている場合をいう。
【００１０】
請求項２に係る発明による引戸のフリーストップ装置は、図１、図２に示すように、制動解除機構９、１０、４４が引戸１に取り付けられている。
上記目的を達成するために、請求項３に係る発明による引戸のフリーストップ装置は、図１、図２に示すように、自閉するように構成された引戸１の開閉方向に戸枠に設けられたレール５の上面５Ａに沿って転動し、引戸１に対して移動可能に保持されたローラ１１と；ローラ１１の移動方向を規制するガイド孔４３が設けられ、ローラ１１を保持するローラ保持部１２Ｃ、１６を有するハウジング１２と；ローラ１１に対して相対的に第１の位置にあるときに、引戸１の開動作を途中で中断した場合、レール５の上面５Ａとの間にローラ１１を弾性的に挟持させて引戸１の開動作は可能な状態で閉動作をストップさせ、前記開動作を途中で中断した位置から僅かに閉まる方向に移動した位置に引戸１を維持する制動部材１７と；制動部材１７を相対的にレール５の上面５Ａから離反する第２の位置に移動せしめ、引戸１のストップ状態を解除する制動解除機構９、１０、４４とを備え；ローラ１１と、制動部材１７と、制動解除機構９、１０、４４とが、ハウジング１２の内部に備えられていることを特徴とする。
【００１１】
請求項４に記載の発明は、請求項１乃至請求項３のいずれか１項に記載の引戸のフリーストップ装置において、図１、図２に示すように、制動部材１７が相対的にレール５の上面５Ａからレール５の上面５Ａに対して垂直に離反して前記第２の位置に移動せしめられるよう構成されている。
制動部材がレールの上面に対して垂直にレールの上面から離反するので、簡単な機構で確実にローラの挟持を解除することができる。
請求項５に記載の発明は、請求項１乃至請求項４のいずれか１項に記載の引戸のフリーストップ装置において、図２、図６に示すように、制動解除機構９、１０、４４が、ソレノイド４４と、ソレノイド４４の変位を制動部材１７に伝達する変位伝達部９、１０を有し；変位伝達部１０が、ソレノイド４４の変位により付勢力を解放し、前記付勢力により制動部材１７の前記移動を生じさせるバネ４２を有する。
【００１２】
上記目的を達成するために、請求項６に係る発明による引戸は、引戸本体と；前記引戸本体に取り付けられた請求項１乃至請求項５のいずれか１項に記載のフリーストップ装置とを備える。
当該フリーストップ装置が取り付けられる引戸は、自閉するように構成されている。
【００１３】
【発明の実施の形態】
以下、本発明の実施の形態について、図面を参照して説明する。なお、各図において互いに同一あるいは相当する部材には同一符号を付し、重複した説明は省略する。
【００１４】
図１は本発明の実施の形態にかかるフーリストップ装置３の、引戸１の引戸本体２への取り付け状態を模式的に表した模式図である。図２は、該フリーストップ装置３の正面断面図であり、図３は同平面断面図である。以下適宜図１から図３を参照して説明する。
【００１５】
図１に示すように、引戸１は、矩形の板状の引戸本体２（図中一部省略）を有し、引戸本体２の上面２Ａには一対のブラケット７１が取り付けられ、各ブラケット７１には戸車４が取り付けられ、戸車４は引戸１が取り付けられる建築物（図示せず）の戸枠（図示せず）に設けられたレール５上に乗せられている。レール５の上面が本発明のガイド面５Ａである。引戸本体２は戸車４によって加重を支えられる。引戸１は図中、左から右に（Ｊ方向）移動することにより開けられ、右から左へ（Ｋ方向）移動することにより閉められる。レール５は図中右が高く左が低く形成され傾いているので、開いている引戸１は重力により右から左に（Ｋ方向）自然に動き閉まる。傾いたレール５と戸車４が引戸１の自閉手段であり、この自閉手段があるので引戸１は自閉するように構成されている。
【００１６】
弾性のローラ１１（図中一部点線で表示）を有するフリーストップ装置３もブラケット７２またはブラケット７１によって引戸本体２の上面２Ａに取り付けられ、弾性のローラ１１はレール５の上面であるガイド面５Ａを転動する。引戸本体２の重量は戸車４によって支えられている。引戸１の取り付けは前述に限らずブラケット７１、７２と引戸本体２とを一体に構成してもよい。
【００１７】
図２及び図３に示すように、フリーストップ装置３は、側壁１２Ｃに対向する側面にある開口１３と、底壁１２Ｂを有する底面の略半分を占める開口１４と、端壁１２Ｄを有する端面の略半分を占める開口１５とを有する直方体形状のハウジング１２を備え、ハウジング１２の開口１３は側板１６により蓋をされている。ハウジング１２内部には、ローラ１１と、制動部材１７と、第１変位伝達部９、第２変位伝達部１０、ソレノイド４４が備えられている。
【００１８】
図４に示すように、ローラ１１は、中央のローラ本体１８と、ローラ本体１８の両側面に設けられた断面円形のスペーサ１９と、これらの中心部を貫通する回転軸２０とからなる。ローラ本体１８の外周面中央にはレール５（図２に二点鎖線で表示）に接触する凹部２１が形成され、スペーサ１９の外周部には溝２２が形成されている。
【００１９】
図５、図６に示すように制動部材１７は、縦軸体２３と横軸体２４からなり、縦軸体２３は、水平に配置された横軸体２４の中央に垂直に連結されて鉛直に配置されている。図６は、図５のＰ−Ｐ矢視図である。制動部材１７は制動部材支持部２５により支持されている。縦軸体２３の下部は、制動部材支持部２５の水平部２５Ａに形成された貫通孔２６を貫通し、縦軸体２３の上部はハウシング１２の上壁１２Ａに形成された貫通孔２７を貫通している。制動部材支持部２５は、ハウジング１２の上壁１２Ａの内面側にビス止めされている。
【００２０】
制動部材１７の略棒状の縦軸体２３は、縦軸体２３の長手方向に沿って形成された溝２８を有し、溝２８を横切り縦軸体２３の径方向に、ピン２９が取り付けられている。ピン２９が図中上下（上方向がＬ）することにより断面が円の一部である横軸体２４が上下する。横軸体２４が最下位にあるとき制動部材１７は、本発明の第１の位置にあり、横軸体２４が最下位より上にあり、制動部材１７によるローラ１１の制動が解除される位置にあるとき、制動部材１７は、本発明の第２の位置にある。本実施の形態では制動部材１７がローラ１１に対して上下に変位するが、ローラ１１が制動部材１７に対して上下に移動するようにしてもよい。
【００２１】
次に、図５、図７を参照し、制動部材１７にソレノイド４４の変位を伝達する第２変位伝達部１０について説明する。図７は、図５のＱ−Ｑ矢視図である。第２変位伝達部１０は、一端に切り欠き３０Ａが加工されたレバー３０を有する。切り欠き３０Ａが、ピン２９に係合している。レバー３０は、支点ピン３１が貫通する円形の貫通孔３２を中央部近傍に有する。レバー３０の他端には、レバー３０の両面に突出する係合ピン３０Ｂが取り付けられている。
【００２２】
第２変位伝達部１０は、レバー支持部３３を有し、レバー支持部３３は、制動部材支持部２５に並んだ状態でハウジング１２の中央部側であってハウジング１２の上壁１２Ａの内面側にビス止めされている。レバー支持部３３は、垂直に互いに平行に配置された一対の側壁３３Ｂと水平に配置され各側壁３３Ｂの最下部に取り付けられ、側板１６（図３）、側壁１２Ｃ（図３）に向かう方向及び制動部材支持部２５の方向に水平に張り出した底壁３３Ｃを有する。底壁３３Ｃの張り出した部分にはバネ用ピン３４が上壁１２Ａの内面側まで延びて取り付けられている。
【００２３】
側壁３３Ｂには、上下に長い長孔３５が加工されており、支点ピン３１が貫通している。側壁３３Ｂの間には、ビス受け部品３７が配置されている。
図８に示すように、ビス受け部品３７は、支点ピン３１が貫通する貫通孔３６を側壁３７Ｂに有し、ビス受け部品３７の上壁３７Ａには、調節ビス４０が当たる。
図５、図７に示すように、調節ビス４０は、ビス受け部品３７の上部側に鉛直に配置され、上壁１２Ａ、上壁３３Ａにそれぞれ設けられた貫通孔３８、ネジ穴３９を貫通する。さらに調節ビス４０は、レバー３０の回動中心である支点ピン３１の、上壁１２Ａの内側面からの位置を規制し、支点ピン３１の該位置は調節ビス４０によって、長孔３５の図中上下方向の長さだけ調整可能である。
【００２４】
支点ピン３１の位置を調整可能にした目的を次に述べる。引戸は引戸本体の重量や、レールの傾斜等により自閉力が異なる。また、引戸本体の自閉力をぜんまいバネ、重りによって生じさせているときは、ぜんまいバネの力、重りの重量等により、自閉力が異なる。自閉力が異なれば、フリーストップさせるのに必要な力も異なるため、支点ピン３１の位置を調整可能にし、それぞれの条件に合わせてストップ力を調整できるようにするためである。また、フリーストップ状態から引戸本体を閉じる際に必要な力も極力弱い方が良いため、それぞれの条件に合わせて最適なストップ力とするためである。
【００２５】
調整ビス４０を上下させることにより、支点ピン３１の位置が変化し、レバー３０が係合ピン３０Ｂを中心に回動し、レバー３０の回動により横軸体２４が上下する。これによりローラ１１の圧縮率を変化させ制動部材１７を乗り越えるための力が調製できる。
【００２６】
レバー支持部３３には、一対のバネ板４１が取り付けられ、バネ板４１と底壁３３Ｃとの間に、圧縮バネ４２が、バネ用ピン３４に差し込まれて取り付けられ、レバー３０を上方に付勢している。
【００２７】
図２に示すように、ハウジング１２の側板１６（図３）と、側板１６に対向するハウジング１２の側壁１２Ｃとには、長孔形状のガイド孔４３（図中側壁１２Ｃのガイド孔４３を表示）に形成されており、それぞれのガイド孔４３にローラ１１の溝２２（図４）が係合している。ガイド孔４３は、側板１６と側壁１２Ｃの開口１４近傍に形成され、開口１４からローラ１１の一部がハウジング１２の外側に突出している。ガイド孔４３の幅は、スペーサ１９（図４）の溝２２の断面の直径より大きく形成されている。側板１６と、側壁１２Ｃは本発明のローラ保持部を構成する。ガイド孔４３はローラ１１の移動方向と位置を規制する。
【００２８】
ハウジング１２のレバー支持部３３の底壁３３Ｃの下面には、板バネ６７が取り付けられている。板バネ６７は取付部６７Ａと垂下部６７Ｂからなり、取付部６７Ａは底壁３３Ｃの下面に水平に取り付けられ、垂下部６７Ｂは底壁３３Ｃから鉛直下方に垂れ下がり、ローラ１１が垂下部６７Ｂを図中左に押す場合は、ローラ１１を制動部材１７の最下位にある横軸体２４に接触する方向に付勢する。
【００２９】
ハウジング１２の端壁１２Ｄの最下部に水平に取り付けられハウジング１２の内部側に張り出した板バネ固定板６９の下面には、板バネ６８が取り付けられている。板バネ６８は、板バネ６７と同様に、取付部６８Ａと垂下部６８Ｂからなり、取付部６８Ａは板バネ固定板６９の下面に水平に取り付けられ、垂下部６８Ｂは板バネ固定板６９から鉛直下方に垂れ下がり、ローラ１１が垂下部６８Ｂを図中右に押す場合は、ローラ１１を制動部材１７の最下位にある横軸体２４に接触する方向に付勢する。
【００３０】
図９に示すように、ハウジング１２（図２）の底壁１２Ｂの内面側に取り付けられた、ソレノイド４４の軸芯４５には上下縦方向に溝４６が形成されており、溝４６に垂直に孔４７が加工され、孔４７にはピン４８が挿入されている。ソレノイド４４の上には、第１変位伝達部９が配置され、第１変位伝達部９は、回動棒状レバー５０、移動レバー５５、回動レバー５９，回動棒状レバー６４を含んで構成される。ソレノイド４４、第１変位伝達部９、第２変位伝達部１０（図２）が本発明の制動解除機構を構成する。ローラ１１の制動を解除するため、ソレノイド４４が発生した変位は、第１変位伝達部９、第２変位伝達部１０を介して、制動部材１７（図２）に伝達される。
【００３１】
回動棒状レバー５０が支持ピン５１を中心に回動可能に取り付けられている。支持ピン５１は、側壁１２Ｃ（図３）に取り付けられている。回動棒状レバー５０の下端には、長孔５２が加工され、上端にはフック５３が加工されている。回動棒状レバー５０の下端は溝４６に挿入され、ピン４８は長孔５２を貫通している。ソレノイド４４の軸芯４５には圧縮バネ４９が巻き付けられ、回動棒状レバー５０の下端の側部５０ＡをＡ１方向とは反対の方向に付勢する。
【００３２】
回動棒状レバー５０の右上には、移動レバー５５が取り付けられている。移動レバー５５には二つの長孔５６Ａ、５６Ｂが加工され、長孔５６Ａ、５６Ｂは支持ピン５７Ａ、５７Ｂに移動レバー５５が上下（上方向がＡ４）移動可能なように係合されている。支持ピン５７Ａ、５７Ｂは側壁１２Ｃ（図２）に取り付けられている。移動レバー５５の側部には切り欠き５８が形成され、切り欠き５８にはフック５３が係合する。フック５３が切り欠き５８に係合しているときは、移動レバー５５は上方（Ａ４方向）に移動することができず、最下部に位置する。
【００３３】
移動レバー５５の右上には回動レバー５９が、支持ピン６０を中心に回動可能に取り付けられている。支持ピン６０は側壁１２Ｃ（図２）に取り付けられている。回動レバー５９は角状の切り欠き６２を有する。係合ピン６１が、移動レバー５５に加工された肩部５５ＡにＡ４方向（上方向）に押されることにより、回動レバー５９は、支持ピン６０を中心にＡ５方向に回動する。支持ピン６０には巻きバネ６３が巻き付けられ巻きバネ６３の一端が上壁１２Ａの内面側に、他端が回動レバー５９の上側部に接しているので、回動レバー５９は巻きバネ６３によってＡ５とは反対の方向に回動するよう付勢されている。回動レバー５９の角状切り欠き６２には、レバー３０の係合ピン３０Ｂが係合する。
【００３４】
移動レバー５５の支持ピン５７Ｂには、中央部近傍に孔６６が加工された回動棒状レバー６４が取り付けられ、回動棒状レバー６４は支持ピン５７Ｂ回りに回動可能である。支持ピン５７Ｂは、孔６６を貫通する。回動棒状レバー６４の一端にはフック６５が加工され、フック６５には、レバー移動３０の係合ピン３０Ｂが係合可能である。巻きバネ５４が回動棒状レバー５０の支持ピン５１の一端に取り付けられ、巻きバネ５４の一方の端部５４Ａが移動レバー５５の底部５５Ｂに接触し、他方の端部５４Ｂが回動棒状レバー６４の側部６４Ａに接触し、レバー３０の係合ピン３０Ｂとフック６５が係合しているとき、側部６４Ａが巻きバネ５４の他方の端部５４ＢをＡ６の方向に押し付け、一方の端部５４Ａが移動レバー５５をＡ７の方向に付勢している。
【００３５】
次に、図１０を参照して、本実施の形態のフリーストップ装置３の作用について説明する。引戸１（図１参照）が開いている状態から全閉の状態になり、さらにまさに開かれる状態にあるときから説明を開始する。引戸１はＢ１方向に移動することによって開き、Ｂ２方向に移動することによって閉じるとする。ローラ１１は、最初にＣ１の状態にあり、板バネ６８はスペーサ１９に接しローラ１１をＢ２方向に付勢している。引戸１が開かれることによりローラ１１は、Ｂ２の方向に移動し、これによって制動部材１７の横軸体２４に当たる。
【００３６】
ローラ１１は、弾性体であるので制動部材１７に当たり弾性変形をして凹み、制動部材１７を乗り越えて、Ｃ２の状態に移動することができ、鉛直状態にあった板バネ６７（垂下部６７Ｂ）を図中左方向に傾かせるので、板バネ６８の付勢力をＢ１方向に受ける。この場合、ローラ１１が弾性変形し、制動部材１７を乗り越えることができる所定の力及び板バネ６７の付勢力に対抗できるだけの力を引戸１に作用させ引戸１を開く。このときローラ１１は、相対的にＣ１からＣ２の状態に移動する。引戸１が開方向に移動を続けている間、ローラ１１はＣ２の状態になった後も、Ｃ２の状態を維持しその場でＤ１方向に回転している。
【００３７】
引戸１の開動作の途中で、開動作を止めた場合は、自閉手段の作用によりまた板バネ６７の付勢力により、引戸１は僅かに閉まる方向に動くので、ローラ１１は、Ｃ３の状態に来る。この状態でローラ１１は、制動部材１７とレール５（二点鎖線にて表示）との間に挟持され、引戸１はストップ状態となり動かなくなる。
引戸１をさらに、開方向（Ｂ１方向）に動かせば、開方向にはストップがかかっていないので、ローラ１１は再びＣ２の状態になり、引戸１を開方向に開くことができる。
【００３８】
また、この状態で引戸１を閉めたい場合は、閉方向に引戸１を所定の力で、即ちローラ１１が弾性変形し、制動部材１７を乗り越えることができる力で押す。こうすることによってローラ１１は制動部材１７を乗り越えＣ１の状態に移動する。引戸１が閉方向に移動を続けている間、ローラ１１はＣ１の状態になった後も、Ｃ１の状態を維持しその場でＤ２方向に回転している。
【００３９】
次に、図２、図９を参照して、制動部材１７の制動を解除する作用を説明する。図２中、ローラ１１は、制動部材１７とレール５（二点鎖線にて部分的に表示）の間に挟持されている状態で示されている。即ち、これは引戸１（図１）の開動作途中に手を離したため半開状態になっている状態に対応する。
【００４０】
ソレノイド４４に通電することにより、軸芯４５は引き込む方向（Ａ１方向）に移動し、回動棒状レバー５０がＡ２方向に回動する。よって、フック５３がＡ３方向に回動するので、フック５３と移動レバー５５の切り欠き５８との係合が外れる。次に、移動レバー５５の底部５５Ｂに接触している、巻きバネ５４の一方の端部５４Ａが移動レバー５５をＡ４方向に押し上げる。移動レバー５５がＡ４方向に移動することにより、肩部５５Ａが回動レバー５９の係合ピン６１をＡ４方向に押すので、回動レバー５９は支持ピン６０を中心にＡ５方向に回動する。
【００４１】
回動レバー５９のこの回動により、切り欠き６２とレバー３０の係合ピン３０Ｂとの係合が外れる。よって、レバー３０は圧縮バネ４２のバネ板４１のＭ方向の付勢力により支点ピン３１を中心にＮ方向に回動する。レバー３０のＮ方向の回動により、レバー３０の切り欠き３０Ａは、制動部材１７の縦軸体２３のピン２９を上方向（Ｌ方向）に持ち上げるので、制動部材１７の横軸体２４が持ち上がり、ローラ１１の制動部材１７とレール５（図１）とによる挟持が解除される。このとき縦軸体２３の上部は、持ち上げられるのでハウジング１２からさらに飛び出す。
【００４２】
よって、ソレノイド４４に通電することによってローラ１１の挟持が解除されるので、開動作の途中に半開状態にある引戸１（図１）を、直接手に触れずに、自閉手段が作用する状態にし、閉めることができる。
このときの、ローラ１１の挟持がはずれた状態のフリーストップ装置３を図１１に示す。よって、開動作途中に半開状態にあった引戸１は自閉手段により閉まる。
【００４３】
横軸体２４の上昇によってマイクロスイッチ７３が入り、ソレノイド４４への通電を停止する。これにより軸芯４５は圧縮バネ４９によって押されて、Ａ１の方向とは逆の方向に移動し、回動棒状レバー５０がＡ２の方向とは逆の方向に回動する。このとき回動棒状レバー６４がＮ方向に回っているため、巻きバネ５４の付勢力が無くなっており、巻きバネ６３の付勢力により回動レバー５９がＡ５方向と逆の方向に回動し、係合ピン６１が移動レバー５５の肩部５５Ａに当たり、移動レバー５５をＡ４方向とは逆の方向に押し下げ、回動棒状レバー５０のフック５３が移動レバー５５の切り欠き５８に入る。
【００４４】
引戸１が自閉手段により閉まった後、通電を停止した状態にてハウジング１２より飛び出している縦軸体２３をＬ方向とは逆の方向に手動により押し込むことにより、レバー３０がＮ方向とは逆の方向に回動し、係合ビン３０Ｂが回動レバー５９を押し上げＡ５方向に回動させ、係合ピン３０Ｂが切り欠き６２に係合される。
【００４５】
このとき係合ビン３０Ｂは回動棒状レバー６４も押し上げており、巻きバネ５４に付勢力を与えるため、移動レバー５５にＡ４方向の付勢力が作用し、移動レバー５５の切り欠き５８が回動棒状レバー５０のフック５３に当たる。よって制動部材１７は制動が解除されるのを待機する状態となり、フリーストップ機能が働くようになるので、引戸１を開けることができる。
【００４６】
本実施の形態のフリーストップ解除機構はソレノイドにより生ずる変位をローラに接触する横軸体に与え、横軸体を変位させて横軸体のローラに対する制動を解除するものであれば他の部品構成を有する機構であってもよい。
【００４７】
【発明の効果】
以上のように本発明の引戸のフリーストップ装置によれば、制動部材の制動を解除する制動解除機構を設けたので、開動作途中にストップ状態に置かれ半開状態に維持されている引戸を、制動解除機構を作動させてストップ状態を解除させ、自閉するようにし直接接触せずに閉めることができる。
【図面の簡単な説明】
【図１】本発明の実施の形態にかかるフリーストップ装置を備えた引戸の部分的模式図である。
【図２】本発明の実施の形態にかかるフリーストップ装置の正面断面図である。
【図３】図２のフリーストップ装置の平面断面図である。
【図４】図２のフリーストップ装置のローラの断面図である。
【図５】図２のフリーストップ装置の部分的正面断面図である。
【図６】図５のＰ−Ｐ矢視図である。
【図７】図５のＱ−Ｑ矢視図である。
【図８】ビス受け部品廻りの斜視図である。
【図９】ソレノイドと第１変位伝達部の分解斜視図である。
【図１０】ローラと制動部材の位置関係を説明する模式的部分断面図である。
【図１１】ローラの制動部材とレールの間の挟持が解除された状態のフリーストップ装置を示す正面断面図である。
【符号の説明】
１  引戸
２  引戸本体
３  フリーストップ装置
４  戸車
５  レール
５Ａ  ガイド面
９  第１変位伝達部
１０  第２変位伝達部
１１  ローラ
１２  ハウジング
１２Ａ  上壁
１２Ｂ  底壁
１２Ｃ  側壁
１２Ｄ  端壁
１７  制動部材
１８  ローラ本体
２３ 縦軸体
２４  横軸体
２９  ピン
３０  レバー
３１  支持ピン
３３  レバー支持部
３４  バネ用ピン
３７  ビス受け部品
４０  調節ビス
４１  バネ板
４２  圧縮バネ
４４  ソレノイド
４５  軸芯
４８  ピン
４９  圧縮バネ
５０  回動棒状レバー
５１  支持ピン
５３  フック
５４  巻きバネ
５５  移動レバー
５７Ａ、Ｂ  支持ピン
５８  切り欠き
５９  回動レバー
６０  支持ピン
６１  係合ピン
６２  切り欠き
６３  巻きバネ
６４  回動棒状レバー
６５  フック
６７、６８  板バネ
７１、７２  ブラケット
７３  マイクロスイッチ
【図１】
0003824822.tif 000002
【図２】
0003824822.tif 000003
【図３】
0003824822.tif 000004
【図４】
0003824822.tif 000005
【図５】
0003824822.tif 000006
【図６】
0003824822.tif 000007
【図７】
0003824822.tif 000008
【図８】
0003824822.tif 000009
【図９】
0003824822.tif 000010
【図１０】
0003824822.tif 000011
【図１１】
0003824822.tif 000012